(57)【要約】【課題】画像読取装置において、ゴミやほこりの進入を抑制しつつ効果的な放熱を行う。【解決手段】画像形成装置の画像読取部１０は、筐体１１と、プラテン１２と、フルレートキャリッジ１３と、原稿搬送部１７と、放熱部材１８とを備える。放熱部材１８は、フルレートキャリッジ１３が図示の位置で保持される場合、すなわち原稿搬送部１７により搬送される原稿を読み取る場合において、フルレートキャリッジ１３の保持部材１３１と接触する。そして、放熱部材１８は、プラテンガラス１２３にセットされた原稿を読み取る場合には、フルレートキャリッジ１３から離間される。フルレートキャリッジ１３が図示の位置で保持される場合は、フルレートキャリッジ１３およびその近傍の温度が上昇しやすくなるが、放熱部材１８に接触することにより放熱が促進される。【選択図】図３
2007324903.tif 000002
【特許請求の範囲】
【請求項１】
原稿に光を主走査方向にわたって照射する照射手段と、
原稿に前記光が副走査方向にわたって順次照射されるように当該原稿を搬送する原稿搬送手段と、
前記照射手段を副走査方向に往復移動可能に保持する保持手段と、
前記照射手段により原稿に照射された光のうち当該原稿において反射した反射光を感知し、当該反射光の強度を表す画像信号を生成する信号生成手段と、
前記信号生成手段により画像信号が生成される場合において、前記保持手段に前記照射手段を所定の位置に保持させて、前記原稿搬送手段に原稿を搬送させながら前記照射手段に光を照射させ、または、前記保持手段に前記照射手段を副走査方向に移動させながら当該照射手段に光を照射させる制御手段と、
前記照射手段が前記所定の位置で保持されているときに前記照射手段または前記保持手段と接触し、前記照射手段が前記所定の位置から移動されると当該接触している照射手段または保持手段から離間される放熱部材と
を備えることを特徴とする画像読取装置。
【請求項２】
前記放熱部材が筐体に取り付けられていることを特徴とする請求項１に記載の画像読取装置。
【請求項３】
前記放熱部材が筐体の一部であることを特徴とする請求項１に記載の画像読取装置。
【請求項４】
前記保持手段により保持され、前記反射光を所定の方向に反射させる第１の反射部材と、
前記放熱部材と、前記第１の反射部材により反射された反射光を前記信号生成手段の方向に反射させる第２の反射部材とを有する反射手段と
を備えることを特徴とする請求項１に記載の画像読取装置。
【請求項５】
前記放熱部材が、前記原稿搬送手段により搬送された原稿を所定の収容位置へと誘導する誘導部材を兼ねることを特徴とする請求項１に記載の画像読取装置。
【請求項６】
前記保持手段が、
前記放熱部材と接触する面を有する接触部材を備える
ことを特徴とする請求項１に記載の画像読取装置。
【請求項７】
請求項１ないし６のいずれかに記載の画像読取装置と、
前記信号生成手段により生成された画像信号に基づいて、前記原稿を表す画像をシートに形成する画像形成手段と
を備えることを特徴とする画像形成装置。
【発明の詳細な説明】
【技術分野】
【０００１】
本発明は、画像読取装置および画像形成装置に関する。
【背景技術】
【０００２】
スキャナ等の画像読取装置においては、光源等が発熱源となって内部の温度を上昇させるという問題がある。この問題は、光源とランプ電源とをキャリッジに搭載した画像読取装置（例えば、特許文献１参照）において、特に顕著である。そこで、画像読取装置内部を冷却させるためにファン等の送風機によって外部の空気を強制的に流通させることが行われているが、送風機を用いると紙粉等のゴミやほこりが進入したり、駆動音が騒音となるという不都合があった。そのため、従来より、送風機を用いない（ファンレス）で画像読取装置を放熱する取り組みがなされている。
【０００３】
画像読取装置をファンレスで放熱する構成としては、例えば、光源等の発熱部に放熱用の部材を取り付ける構成がある（例えば、特許文献２参照）。このようにすれば、発熱部の温度上昇をある程度抑えることが可能である。
【特許文献１】特開平８−１３９８６０号公報
【特許文献２】特開２００１−１４４９０７号公報
【発明の開示】
【発明が解決しようとする課題】
【０００４】
しかしながら、発熱部に放熱用の部材を取り付けた場合、発熱部の熱は放熱用の部材に伝導するものの、周囲は熱伝導性の低い空気であるため、部材内部の熱が外部に拡散しにくく、放熱の効果は極めて限定的であった。
【０００５】
本発明はかかる事情に鑑みてなされたものであり、その目的は、画像読取装置において、ゴミやほこりの進入を抑制しつつ効果的な放熱を行うことが可能な技術を提供することにある。
【課題を解決するための手段】
【０００６】
上述の目的を達成するために、本発明に係る画像読取装置は、原稿に光を主走査方向にわたって照射する照射手段と、原稿に前記光が副走査方向にわたって順次照射されるように当該原稿を搬送する原稿搬送手段と、前記照射手段を副走査方向に移動可能に保持する保持手段と、前記照射手段により原稿に照射された光のうち当該原稿において反射した反射光を感知し、当該反射光の強度を表す画像信号を生成する信号生成手段と、前記信号生成手段により画像信号を生成する場合において、前記保持手段に前記照射手段を所定の位置に保持させて、前記原稿搬送手段に原稿を搬送させながら前記照射手段に光を照射させ、または、前記保持手段に前記照射手段を副走査方向に移動させながら当該照射手段に光を照射させる制御手段と、前記照射手段が前記所定の位置で保持されているときに、前記照射手段または前記保持手段と接触し、前記照射手段が前記所定の位置から遠ざかるにつれて当該接触している前記照射手段または前記保持手段から離間する放熱部材とを備える。
【０００７】
また、本発明に係る画像読取装置は、前記放熱部材が筐体に取り付けられていてもよいし、前記放熱部材が筐体の一部を構成していてもよい。
【０００８】
また、本発明に係る画像読取装置は、前記保持手段により保持され、前記反射光を所定の方向に反射させる第１の反射部材と、前記放熱部材と、前記第１の反射部材により反射された反射光を前記信号生成手段の方向に反射させる第２の反射部材とを有する反射手段とを備える構成であってもよい。
【０００９】
また、本発明に係る画像読取装置は、前記放熱部材が、前記原稿搬送手段により搬送された原稿を所定の収容位置へと誘導する誘導部材を兼ねる構成であってもよい。
【００１０】
また、本発明に係る画像読取装置は、前記保持手段が、前記放熱部材と接触する面を有する接触部材を備える構成であってもよい。
【００１１】
なお、本発明は、画像読取装置のみならず、画像形成装置としても特定され得るものである。本発明に係る画像形成装置は、例えば、上述の画像読取装置のいずれかと、前記信号生成手段により生成された画像信号に基づいて、前記原稿を表す画像をシートに形成する画像形成手段とを備えるものである。
【発明の効果】
【００１２】
以上のような本発明により、画像読取装置において、ゴミやほこりの進入を抑制しつつ効果的な放熱を行うことが可能となる。
【発明を実施するための最良の形態】
【００１３】
以下、本発明の実施の形態について図面を参照しつつ説明する。以下に示す実施形態においては、本発明に係る画像読取装置の一態様として、画像読取装置を備えた画像形成装置（複写機）を例示して説明する。
【００１４】
［第１実施形態］
図１は、本発明の第１の実施形態である画像形成装置１の外観を示す図である。画像形成装置１の構成は、画像読取部１０と、画像形成部２０と、操作部３０と、後述する制御部４０とに大別される。画像読取部１０はいわゆるスキャナの機能を有しており、原稿を光学的に読み取って原稿を表す画像信号を生成する。画像形成部２０はいわゆるプリンタの機能を有しており、上述の画像読取部１０により生成された画像信号が表す画像を用紙等のシート状物に形成する。画像形成部２０としては、例えば電子写真方式のプリンタを用いるのが好適である。操作部３０は、ユーザに各種情報を通知したりユーザから指示を受け付けたりするためのインタフェースであり、タッチパネルや各種のボタンを備える。
【００１５】
画像読取部１０の構成を側面（図１に示した矢印Ｘの方向から見た面）から示すと、図２および図３のようになっている。これらの図においては、用紙の搬送経路を破線で示し、光の経路を一点鎖線で示している。画像読取部１０は、筐体１１と、プラテン１２と、フルレートキャリッジ１３と、ハーフレートキャリッジ１４と、結像部１５と、撮像部１６と、原稿搬送部１７とを備える。なお、以下においては、図１に示した矢印Ｘの方向を「主走査方向」といい、主走査方向に直交する方向、すなわち図２および図３に示した矢印Ｙの方向を「副走査方向」という。
【００１６】
筐体１１は、フルレートキャリッジ１３、ハーフレートキャリッジ１４、結像部１５および撮像部１６をその内部に収容する箱型の部材である。また、筐体１１の上面には、プラテン１２の各部材を嵌め込むための開口部が設けられている。そして、筐体１１の側面には、放熱部材１８がネジ等により取り付けられている。
【００１７】
放熱部材１８は、ステンレス鋼（ＳＵＳ）等の金属からなる薄板であり、フルレートキャリッジ１３に対して図２中の矢印Ａの方向にある程度の弾性力を付与できるように、適当な曲げ加工がなされている。放熱部材１８は、フルレートキャリッジ１３が図３に示す位置にあるとき（すなわち、後述する第２のモードで走査が行われるとき）に、フルレートキャリッジ１３を副走査方向に付勢する弾性力を与えながらこれと接触する。なお、放熱部材１８の材料は任意であるが、高い熱伝導性を有するものが望ましい。また、放熱部材１８がフルレートキャリッジ１３と接触する面積は、可能な限り大きい方が望ましい。そのため、放熱部材１８は、主走査方向についてフルレートキャリッジ１３と同程度ないしそれ以上の幅の接触面を有することが望ましい。
【００１８】
プラテン１２は、プラテンガラス１２１および１２３と、誘導部材１２２とを備える。プラテンガラス１２１および１２３は、ガラス等の透明な板状部材であり、その表面は水平である。プラテンガラス１２１は主走査方向について原稿と同程度のサイズ（幅）を有しており、プラテンガラス１２３は主走査方向および副走査方向について原稿と同程度のサイズ（幅および長さ）を有している。誘導部材１２２はプラテンガラス１２１の水平面に対して所定の角度をなす傾斜面を有しており、原稿の進行方向をこの傾斜面に沿って変化させて後述する排紙トレイ１７３へと誘導する。なお、誘導部材１２２は、プラテンガラス１２３に原稿を載置する場合において、原稿の位置決め部材としての機能も有している。
【００１９】
フルレートキャリッジ１３は、保持部材１３１と、ランプ１３２と、ランプ電源１３３と、リフレクタ１３４と、ミラー１３５とを備える。保持部材１３１はランプ１３２、ランプ電源１３３、リフレクタ１３４およびミラー１３５を収容する箱型の部材であり、これらの各部材を保持する。ランプ１３２は、原稿およびリフレクタ１３４に対して光を照射する光源である。ランプ１３２としては、例えば蛍光ランプを用いることができる。ランプ電源１３３は、ランプ１３２を発光させるための駆動回路（トランスやレギュレータ等）である。リフレクタ１３４は平面状または放物線状の集光面を有する反射板であり、ランプ１３２により照射される照射光を原稿上の読み取るべき領域に集光する。ミラー１３５は反射面を有し、ランプ１３２より照射された光のうちの原稿において反射した反射光をさらに反射させてハーフレートキャリッジ１４へと導く。なお、ランプ１３２、リフレクタ１３４およびミラー１３５は、主走査方向についてプラテンガラス１２１および１２３とほぼ同程度の幅を有している。
【００２０】
ハーフレートキャリッジ１４は保持部材１４１とミラー１４２、１４３とを備え、フルレートキャリッジ１３からの反射光をさらに反射させて結像部１５へと導く。保持部材１４１はミラー１４２および１４３を保持する箱型の部材である。なお、ミラー１４２および１４３は、ミラー１３５と同様の反射面を有する部材であり、主走査方向についてプラテンガラス１２１および１２３とほぼ同程度の幅を有する。
【００２１】
フルレートキャリッジ１３およびハーフレートキャリッジ１４は、図示せぬ駆動部（モータ等）により副走査方向に往復移動される。フルレートキャリッジ１３は所定の速度で副走査方向に移動され、ハーフレートキャリッジ１４はフルレートキャリッジ１３の約半分の速度で副走査方向に移動される。
【００２２】
結像部１５は１または複数のレンズ部材からなり、フルレートキャリッジ１３およびハーフレートキャリッジ１４により反射された原稿からの反射光を撮像部１６がある位置に結像させる。撮像部１６は主走査方向に配置された複数の撮像素子からなるラインセンサであり、結像部１５により結像された反射光を感知し、感知した反射光の強度を表す画像信号を生成する。撮像部１６を構成する撮像素子としては、例えばＣＣＤ（Charge Coupled Device）やＣＭＯＳ（Complementary Metal Oxide Semiconductor）を用いたものが好適である。
【００２３】
原稿搬送部１７は、給紙トレイ１７１と、複数の搬送ロール１７２と、排紙トレイ１７３とを備える。給紙トレイ１７１は読み取り対象となる複数枚の原稿を収容可能に構成されている。搬送ロール１７２は主走査方向に原稿と同程度の幅を有するロール部材であり、図示せぬ駆動部（モータ等）により回転されて原稿を図３中の矢印Ｂの方向に１枚ずつ搬送する。搬送ロール１７２により搬送される原稿は、図３中の点Ｃが示す位置においてプラテンガラス１２１と接し、誘導部材１２２により進行方向を変化させられて排紙トレイ１７３へと移動する。排紙トレイ１７３は複数枚の原稿を収容可能に構成されており、読み取りが行われた原稿を収容する。なお、原稿搬送部１７は、プラテン１２の上面を覆うカバー部材としても機能しており、外光を遮断して読み取り対象である原稿の読み取りを容易にしている。
【００２４】
画像形成装置１の各部は、制御部４０によってその動作を制御されている。すなわち、画像形成装置１の構成をブロック図で示すと、図４のようになる。制御部４０は、ＣＰＵ（Central Processing Unit）４０１、ＲＯＭ（Read Only Memory）４０２およびＲＡＭ（Random Access Memory）４０３等を備える。制御部４０においては、ＣＰＵ４０１がＲＡＭ４０３をワークエリアとして用いてＲＯＭ４０２に記憶されたプログラムを実行し、各部の動作を制御する。また、制御部４０は画像読取部１０において生成された画像信号を取得し、これを画像形成部２０が解釈可能な形式の画像データに変換して画像形成部２０に供給する。
【００２５】
以上の構成のもと、画像形成装置１は、ユーザからの指示に応じて原稿を光学的に読み取って画像信号を生成し、この画像信号に応じた画像を用紙に形成することで原稿の複写物を生成する。この画像形成装置１には、原稿のセット（載置）の仕方に応じた２種類の読取モードがある。第１のモードは、ユーザが原稿をプラテンガラス１２３の上にセットしたときに実行されるモードであり、読み取り対象である原稿が１枚のみである場合に特に好適な読取モードである。そして、第２のモードは、ユーザが原稿搬送部１７に原稿をセットしたときに実行されるモードであり、読み取り対象である原稿が複数枚である場合に特に好適な読取モードである。
【００２６】
第１のモードで動作する場合、画像形成装置１の制御部４０は、原稿を移動させずに、フルレートキャリッジ１３（およびハーフレートキャリッジ１４）を移動させて走査（読み取り）を行う。第１のモードで動作する場合、走査を開始する位置は、図２においてＳ1で示した位置である。このとき、ユーザは、誘導部材１２２の端部（すなわち、図２においてＳ1で示した位置）にあてがうようにして原稿を載置する。その後、制御部４０は、フルレートキャリッジ１３（およびハーフレートキャリッジ１４）を副走査方向に移動させて走査を行う。
【００２７】
一方、第２のモードで動作する場合には、画像形成装置１の制御部４０は、フルレートキャリッジ１３（およびハーフレートキャリッジ１４）を図３に示す位置で保持したまま、原稿搬送部１７により原稿を１枚ずつ搬送させて走査を行う。つまり、第２のモードで動作する場合、走査を行う位置は図３においてＳ2で示した位置のまま変化しない。
【００２８】
画像形成装置１が走査を行うとき、フルレートキャリッジ１３においては、ランプ１３２やランプ電源１３３が熱を発するため、その温度が上昇する。そのため、ランプ１３２を安定的に駆動させるためには、フルレートキャリッジ１３を適宜冷却する必要がある。ここで、第１のモードにおいては、フルレートキャリッジ１３自体が移動しながら走査を行うため、この移動に伴って熱も放散する。それゆえ、第１のモードにおいては、ランプ１３２やランプ電源１３３の温度が過昇するおそれが比較的少ない。
【００２９】
一方、第２のモードにおいては、フルレートキャリッジ１３は移動せずに保持されているので、第１のモードの場合よりもフルレートキャリッジ１３の温度が上昇しやすくなる。そのため、第２のモードにおいては、フルレートキャリッジ１３やその近傍の部材および空気が比較的短時間で高温となる。しかし、第２のモードにおいては、フルレートキャリッジ１３は図３に示す位置において保持されるため、放熱部材１８と接触する。そのため、フルレートキャリッジ１３内部において生じた熱は、保持部材１３１から放熱部材１８を介して筐体１１へと伝わり、やがて放散する。この結果、フルレートキャリッジ１３においては効果的に放熱が行われ、温度の過昇が抑制される。
【００３０】
なお、例えば第２のモードから第１のモードへと切り替わる場合のように、フルレートキャリッジ１３が副走査方向に移動される場合、すなわち図３に示した位置から副走査方向に移動する場合には、放熱部材１８は保持部材１３１に与える弾性力を徐々に弱め、やがて離間する。
【００３１】
このように、本実施形態においては、画像形成装置１が、フルレートキャリッジ１３を移動させずに原稿を移動させて走査を行う第２のモードで動作する場合において、フルレートキャリッジ１３と放熱部材１８とが接触し、フルレートキャリッジ１３において生じる熱を筐体１１へと放散させるように構成されている。そのため、本実施形態によれば、フルレートキャリッジ１３およびその近傍の温度が上昇しやすい使用条件においても、温度の過昇を抑制することが可能となる。
【００３２】
なお、本実施形態においては、第２のモードにおいてフルレートキャリッジ１３を移動させずに保持するときに、駆動部によってフルレートキャリッジ１３に放熱部材１８へと向かう方向の力を与えてもよい。このときの力は、放熱部材１８がフルレートキャリッジ１３に与える弾性力とつり合う程度であると望ましい。このようにすると、フルレートキャリッジ１３全体が振動しにくくなるので、振動に起因する画質の低下を抑制することも可能となる。
【００３３】
［第２実施形態］
続いて、本発明の第２の実施形態を説明する。なお、本実施形態の構成は、その基本的な部分については上述の第１実施形態と共通している。そこで、ここでは、上述の第１実施形態と異なる部分を中心に説明し、共通する部分については適宜説明を省略する。また、以下においては、上述の第１実施形態と同様の構成要素には同一の符号を付して説明を行う。
【００３４】
本発明の第２実施形態である画像形成装置は、上述の画像形成装置１と同様に、画像読取部、画像形成部、操作部および制御部を備えるものである。画像形成部、操作部および制御部の構成は、上述の画像形成部２０、操作部３０および制御部４０と同様であるが、画像読取部の構成は、上述の画像読取部１０と部分的に異なっている。そこで、以下では、本実施形態の画像形成装置、画像読取部、画像形成部、操作部および制御部のそれぞれを、「画像形成装置１ａ」、「画像読取部１０ａ」、「画像形成部２０」、「操作部３０」および「制御部４０」という。なお、符号の末尾の「ａ」は、他の実施形態の構成要素と区別するために付したものであり、その符号を付された構成要素が、上述の第１実施形態と同一名称であるものの、構造が異なっていることを意味している。また、本実施形態においても、画像形成装置１ａは第１のモードまたは第２のモードにより動作可能である。
【００３５】
図５は、本実施形態の画像読取部１０ａの構成の一部を示す図である。なお、画像読取部１０ａは、同図に記載されていない部分については、上述の画像読取部１０と同様の構成を有している。すなわち、画像読取部１０ａは、画像読取部１０と同様の筐体１１、プラテン１２、結像部１５、撮像部１６および原稿搬送部１７を備えている。また、同図に示されているように、画像読取部１０ａは、放熱部材１８を有さない点が上述の画像読取部１０と異なっている。
【００３６】
画像読取部１０ａのフルレートキャリッジ１３ａは、接触部材１３６を備える。接触部材１３６は、上述の放熱部材１８と同様の構造を有する薄板であり、保持部材１３１の副走査方向側（図中の右側）の側面にネジ等により取り付けられている。そして、接触部材１３６は、ハーフレートキャリッジ１４が図５に示す位置にあるときにハーフレートキャリッジ１４の保持部材１４１と接触し、保持部材１４１を図中の矢印Ｄの方向に付勢する弾性力を与える。その後、接触部材１３６は、フルレートキャリッジ１３ａが副走査方向へと移動するにつれて徐々に弾性力を弱め、やがて離間する。これは、制御部４０がフルレートキャリッジ１３ａをハーフレートキャリッジ１４よりも高速で移動させるからである。
【００３７】
つまり、本実施形態において、ハーフレートキャリッジ１４の保持部材１４１は、フルレートキャリッジ１３ａから接触部材１３６を介して伝わった熱を放散する放熱手段として機能する。保持部材１４１は、第２のモードで動作する場合において接触部材１３６と接触し、フルレートキャリッジ１３ａにおいて生じる熱を放散させるように構成されている。そのため、本実施形態によれば、上述の第１実施形態と同様に、フルレートキャリッジ１３ａおよびその近傍の温度が上昇しやすい使用条件においても、温度の過昇を抑制することが可能となる。
【００３８】
なお、本実施形態においては、保持部材１４１は放熱手段として機能することから、その材料はアルミニウム等の熱伝導性の高い物質であることが望ましい。また、保持部材１４１と接触部材１３６とは、可能な限りその接触面が大きく確保されることが望ましい。
【００３９】
［第３実施形態］
続いて、本発明の第３の実施形態を説明する。本実施形態においても、上述の第２実施形態と同様に、上述の第１実施形態と異なる部分を中心に説明し、共通する部分については適宜説明を省略する。また、以下においては、上述の第１実施形態と同様の構成要素には同一の符号を付して説明を行う。
【００４０】
本実施形態の画像形成装置は、上述の画像形成装置１と同様の画像形成部２０、操作部３０および制御部４０を備えるが、画像読取部については、上述の画像読取部１０とも画像読取部１０ａとも異なっている。そこで、以下では、本実施形態の画像形成装置、画像読取部、画像形成部および操作部のそれぞれを、「画像形成装置１ｂ」、「画像読取部１０ｂ」、「画像形成部２０」、「操作部３０」および「制御部４０」という。なお、符号の末尾の「ｂ」は、他の実施形態の構成要素と区別するために付したものであり、その符号を付された構成要素が、上述の第１実施形態または第２実施形態と同一名称であるものの、構造が異なっていることを意味している。また、本実施形態においても、画像形成装置１ｂは第１のモードまたは第２のモードにより動作可能である。
【００４１】
図６は、本実施形態の画像読取部１０ｂの構成の一部を示す図である。なお、画像読取部１０ｂは、同図に記載されていない部分については、上述の画像読取部１０と同様の構成を有している。すなわち、画像読取部１０ｂは、画像読取部１０と同様の筐体１１、プラテン１２、ハーフレートキャリッジ１４、結像部１５、撮像部１６および原稿搬送部１７を備えている。また、同図に示されているように、画像読取部１０ｂは、放熱部材１８を有さない点が上述の画像読取部１０と異なっている。
【００４２】
画像読取部１０ｂのフルレートキャリッジ１３ｂは、接触部材１３７を備える。接触部材１３７は、上述の放熱部材１８と同様の構造を有する薄板であり、保持部材１３１の上面にネジ等により取り付けられている。そして、接触部材１３７は、フルレートキャリッジ１３ｂが図６に示す位置にあるときにプラテン１２の誘導部材１２２と接触し、保持部材１４１を図中の矢印Ｃの方向に付勢する弾性力を与える。その後、接触部材１３６は、フルレートキャリッジ１３ｂが副走査方向へと移動し、ある位置に達したときに誘導部材１２２から離間する。
【００４３】
つまり、本実施形態において、プラテン１２の誘導部材１２２は、フルレートキャリッジ１３ｂから接触部材１３７を介して伝わった熱を放散する放熱手段として機能する。誘導部材１２２は、第２のモードで動作する場合において接触部材１３７と接触し、フルレートキャリッジ１３ｂにおいて生じる熱を放散させるように構成されている。そのため、本実施形態によれば、上述の第１実施形態および第２実施形態と同様に、フルレートキャリッジ１３ｂおよびその近傍の温度が上昇しやすい使用条件においても、温度の過昇を抑制することが可能となる。
【００４４】
なお、本実施形態においては、誘導部材１２２は放熱手段として機能することから、その材料はアルミニウム等の熱伝導性の高い物質であることが望ましい。また、接触部材１３６と誘導部材１２２とは、可能な限りその接触面が大きく確保されることが望ましい。また、接触部材１３６は、誘導部材１２２から離間したときにプラテンガラス１２３と接触しない形状であることが望ましい。
【００４５】
［変形例］
以上においては、３つの好適な実施形態を例示して本発明を説明したが、本発明は上述した実施形態に限定されるものではなく、その他の種々の態様にて実施することも可能である。本発明においては、例えば、上述した実施形態に対して以下のような変形を適用することができる。なお、これらの変形は、各々を適宜に組み合わせることも可能である。
【００４６】
上述の第１実施形態においては、放熱部材１８はフルレートキャリッジ１３を副走査方向に付勢しながらこれと接触していたが、付勢方向はこれに限らない。例えば、図７に示すように、保持部材１３１やランプ１３２を押さえ込むような形状の放熱部材１８ｃを設け、保持部材１３１やランプ１３２を下方（図中の矢印Ｅの方向）に付勢するようにしてもよい。このようにすれば、フルレートキャリッジ１３の放熱を行いつつ、フルレートキャリッジ１３の振動を抑制することも可能となる。なお、このとき、フルレートキャリッジ１３は放熱部材１８ｃによってその位置を保持されるので、駆動部による力を与えないでも、フルレートキャリッジ１３を一定の位置に保持することができる。
【００４７】
また、フルレートキャリッジと接触する放熱部材は、上述の放熱部材１８や放熱部材１８ｃのような薄板状のものに限定されない。例えば、図８に示す放熱部材１８ｄのようなものであってもよい。放熱部材１８ｄは、接触部材１８１と、ヒートシンク１８２とを備える。接触部材１８１はシリコンゴム等の熱伝導性を有するシート状の部材であり、フルレートキャリッジ１３の保持部材１３１と接触する。ヒートシンク１８２はアルミニウム等の熱伝導性の高い金属からなる部材であり、筐体１１の外部へと熱を放散させる。接触部材１８１はヒートシンク１８２に接着されており、ヒートシンク１８２は筐体１１にネジ等により取り付けられている。また、ヒートシンク１８２は、図９に示すような多数の羽根状の突起を有しており、その表面積を増加させることで放熱効率を高めている。また、図８に示すように、筐体１１やヒートシンク１８２を覆う外装部材１９（カバー）がある場合には、外装部材１９に孔部を設けてもよい。
【００４８】
また、上述の実施形態においては、放熱部材１８、接触部材１３６および接触部材１３７はネジ等により取り付けられていると説明したが、接着剤等によって接着するなどの他の取り付け方法であってもよい。また、放熱部材１８、接触部材１３６および接触部材１３７は、筐体１１や保持部材１３１に取り付けられていると説明したが、筐体１１や保持部材１３１と一体に構成されていてもよい。すなわち、上述の放熱部材や接触部材は、筐体や保持部材の一部であってもよい。
【００４９】
また、放熱部材１８は、保持部材１３１のみならずランプ１３２と直接接触するようにしてもよいし、ランプ電源１３３を保持部材１３１から露出するような位置に設ける場合であれば、ランプ電源１３３と接触するような構成としてもよい。同様に、接触部材１３６および接触部材１３７についても、ランプ１３２やランプ電源１３３に接触する構成であってもよい。このような構成とした方が、ランプ１３２やランプ電源１３３の放熱効果は高くなる。
【００５０】
また、上述の実施形態においては、走査を開始するときのフルレートキャリッジの位置は第１のモードと第２のモードとで異なっていたが、同一の位置であってもよい。また、画像読取部は２つのキャリッジ（フルレートキャリッジおよびハーフレートキャリッジ）を備える構成であったが、第２実施形態以外の構成においては、キャリッジは１つであってもよい。
【００５１】
また、上述の実施形態は、本発明を複写機に適用した場合の例であるが、本発明はもちろん、複写機以外の画像形成装置（例えば、ファクシミリ装置）にも適用することが可能である。また、本発明は、画像形成装置に限らず、スキャナ等の画像読取装置においても適用することが可能である。
【図面の簡単な説明】
【００５２】
【図１】本発明の実施形態に係る画像形成装置の外観を示す図である。
【図２】第１の実施形態の画像形成装置における画像読取部の構成を示す図である。
【図３】第１の実施形態の画像形成装置における画像読取部の構成を示す図である。
【図４】第１の実施形態の画像形成装置の構成を示すブロック図である。
【図５】第２の実施形態の画像形成装置における画像読取部の構成を示す図である。
【図６】第３の実施形態の画像形成装置における画像読取部の構成を示す図である。
【図７】第１の実施形態の画像形成装置の変形例を示す図である。
【図８】第１の実施形態の画像形成装置の変形例を示す図である。
【図９】図８の変形例におけるヒートシンクの形状を示す図である。
【符号の説明】
【００５３】
１、１ａ、１ｂ…画像形成装置、１０、１０ａ、１０ｂ…画像読取部、１１…筐体、１２…プラテン、１２１…プラテンガラス、１２２…誘導部材、１２３…プラテンガラス、１３、１３ａ、１３ｂ…フルレートキャリッジ、１３１…保持部材、１３２…ランプ、１３３…ランプ電源、１３４…リフレクタ、１３５…ミラー、１３６、１３７…接触部材、１４…ハーフレートキャリッジ、１４１…保持部材、１４２、１４３…ミラー、１５…結像部、１６…撮像部、１７…原稿搬送部、１７１…給紙トレイ、１７２…搬送ロール、１７３…排紙トレイ、１８、１８ｃ、１８ｄ…放熱部材、１８１…接触部材、１８２…ヒートシンク、２０…画像形成部、３０…操作部、４０…制御部
【図１】
2007324903.tif 000003
【図２】
2007324903.tif 000004
【図３】
2007324903.tif 000005
【図４】
2007324903.tif 000006
【図５】
2007324903.tif 000007
【図６】
2007324903.tif 000008
【図７】
2007324903.tif 000009
【図８】
2007324903.tif 000010
【図９】
2007324903.tif 000011